(57)【特許請求の範囲】
【請求項１】
水路用コンクリート製インバート部材の上面幅方向略中央位置に断面略Ｕ字状に凹む高速流水路部を長手方向へ向かって設け、該高速流水路部の幅方向両端から水路用コンクリート製インバート部材の幅方向両端に向っては、上り勾配で傾斜する集水傾斜面とし、前記高速流水路部と集水傾斜面とにより流水路部が形成され、
前記水路用コンクリート製インバート部材の長手方向一方側端部には、略半円状に張り出す接続膨出部を有し、長手方向他端部には、前記接続膨出部に嵌り合う略半円状の接続凹み部を有し、前記接続用膨出部と接続凹み部とを接続して、長手方向両端部に接続用高速流水路部が形成可能とされ、
前記接続用高速流水路部は、前記水路用コンクリート製インバート部材の長手方向両端部に位置する高速流水路部幅方向両端部から、前記接続用膨出部と接続凹み部との接続部幅方向両端部側に向かい、前記接続用膨出部と接続凹み部との接続部の幅より広幅に広がり、各々扇状に広げた状態に形成されると共に、該接続用高速流水路部の深さが、前記高速流水路部の底部の深さとほぼ同じ深さに形成されて、前記高速流水路部と連通するよう構成されてなり、
前記接続用膨出部と前記接続用凹み部とを嵌め合わせ、左右方向へカーブして敷設可能とされた、
ことを特徴とする水路用コンクリート製インバート部材。
【請求項２】
水路用コンクリート製インバート部材の上面幅方向略中央位置に断面略Ｕ字状に凹む高速流水路部を長手方向へ向かって設け、該高速流水路部の幅方向両端から水路用コンクリート製インバート部材の幅方向両端に向っては、上り勾配で傾斜する集水傾斜面とし、前記高速流水路部と集水傾斜面とにより流水路部が形成され、
前記水路用コンクリート製インバート部材の長手方向一方側端部には、略半円状に張り出す接続膨出部を有し、長手方向他端部には、前記接続膨出部に嵌り合う略半円状の接続凹み部を有し、前記接続用膨出部と接続凹み部とを接続して、長手方向両端部に接続用高速流水路部が形成可能とされ、
前記接続用高速流水路部は、前記水路用コンクリート製インバート部材の長手方向両端部に位置する高速流水路部幅方向両端部から、前記接続用膨出部と接続凹み部との接続部幅方向両端部側に向かい、前記接続用膨出部と接続凹み部との接続部の幅より広幅に広がり、各々扇状に広げた状態に形成されると共に、該接続用高速流水路部の深さが、前記高速流水路部の底部の深さとほぼ同じ深さに形成されて、前記高速流水路部と連通するよう構成されてなり、
前記接続用膨出部と前記接続用凹み部とを嵌め合わせ、左右方向へカーブして敷設可能とされ、
前記水路用コンクリート製インバート部材の長手方向一端側の厚みは、長手方向他端側より厚く構成されて、前記高速流水路部が勾配を有するよう形成され、前記勾配の異なる水路用コンクリート製インバート部材を複数形成すると共に、前記複数の勾配の異なる水路用コンクリート製インバート部材を組み合わせて、前記勾配の角度が異なるよう敷設形成でき、
前記接続用膨出部と前記接続用凹み部とを嵌め合わせ、左右方向へカーブ可能に敷設できると共に、勾配を有する敷設箇所で、前記敷設箇所での勾配と逆の勾配で前記流水路部を敷設可能とした、
ことを特徴とする水路用コンクリート製インバート部材。
【請求項３】
前記長手方向一端側の厚みが、長手方向他端側より厚く構成されて、前記高速流水路部が勾配を有して形成された水路用コンクリート製インバート部材につき、前記勾配の異なる水路用コンクリート製インバート部材を複数形成し、前記複数の勾配の異なる水路用コンクリート製インバート部材を組み合わせて、前記勾配の角度が異なるよう敷設形成でき、前記勾配を有する敷設箇所にあって、前記敷設箇所での勾配と逆の勾配で前記流水路部を最適な勾配で敷設可能とした、
ことを特徴とする請求項２記載の水路用コンクリート製インバート部材。
【請求項４】
構築物の隙間をぬって形成され、重機が搬入できない箇所でのＵ字溝、土留め、自然谷川による曲線部を備えた既設水路の補修工法であり、
前記既設水路の底面部に、人力で運搬可能な重量で、あらかじめ工場で製造された、水路用コンクリート製インバート部材の上面幅方向略中央位置に断面略Ｕ字状に凹む高速流水路部を長手方向へ向かって設け、該高速流水路部の幅方向両端から水路用コンクリート製インバート部材の幅方向両端に向っては、上り勾配で傾斜する集水傾斜面とし、前記高速流水路部と集水傾斜面とにより流水路部が形成され、
前記水路用コンクリート製インバート部材の長手方向一方側端部には、略半円状に張り出す接続膨出部を有し、長手方向他端部には、前記接続膨出部に嵌り合う略半円状の接続凹み部を有し、前記接続用膨出部と接続凹み部とを接続して、長手方向両端部に接続用高速流水路部が形成可能とされ、
前記接続用高速流水路部は、前記水路用コンクリート製インバート部材の長手方向両端部に位置する高速流水路部幅方向両端部から、前記接続用膨出部と接続凹み部との接続部幅方向両端部側に向かい、前記接続用膨出部と接続凹み部との接続部の幅より広幅に広がり、各々扇状に広げた状態に形成されると共に、該接続用高速流水路部の深さが、前記高速流水路部の底部の深さとほぼ同じ深さに形成されて、前記高速流水路部と連通するよう構成されてなり、前記接続用膨出部と前記接続用凹み部とを嵌め合わせ、左右方向へカーブして敷設可能とされた、水路用コンクリート製インバート部材を、
既設水路の前記曲線部で長手方向へ繋いで使用し敷設した、
ことを特徴とする既設水路の補修工法。
【請求項５】
構築物の隙間をぬって形成され、重機が搬入できない箇所でのＵ字溝、土留め、自然谷川による曲線部を備えた既設水路の補修工法であり、
前記既設水路の底面部に、人力で運搬可能な重量で、あらかじめ工場で製造された、水路用コンクリート製インバート部材の上面幅方向略中央位置に断面略Ｕ字状に凹む高速流水路部を長手方向へ向かって設け、該高速流水路部の幅方向両端から水路用コンクリート製インバート部材の幅方向両端に向っては、上り勾配で傾斜する集水傾斜面とし、前記高速流水路部と集水傾斜面とにより流水路部が形成され、
前記水路用コンクリート製インバート部材の長手方向一方側端部には、略半円状に張り出す接続膨出部を有し、長手方向他端部には、前記接続膨出部に嵌り合う略半円状の接続凹み部を有し、前記接続用膨出部と接続凹み部とを接続して、長手方向両端部に接続用高速流水路部が形成可能とされ、
前記接続用高速流水路部は、前記水路用コンクリート製インバート部材の長手方向両端部に位置する高速流水路部幅方向両端部から、前記接続用膨出部と接続凹み部との接続部幅方向両端部側に向かい、前記接続用膨出部と接続凹み部との接続部の幅より広幅に広がり、各々扇状に広げた状態に形成されると共に、該接続用高速流水路部の深さが、前記高速流水路部の底部の深さとほぼ同じ深さに形成されて、前記高速流水路部と連通するよう構成されてなり、
前記接続用膨出部と前記接続用凹み部とを嵌め合わせ、左右方向へカーブして敷設可能とされ、
前記水路用コンクリート製インバート部材の長手方向一端側の厚みは、長手方向他端側より厚く構成されて、前記高速流水路部が勾配を有するよう形成され、前記勾配の異なる水路用コンクリート製インバート部材を複数形成すると共に、前記複数の勾配の異なる水路用コンクリート製インバート部材を組み合わせて、前記勾配の角度が異なるよう敷設形成できると共に、勾配を有する敷設箇所で、前記敷設箇所での勾配と逆の勾配で前記流水路部を敷設可能とした、水路用コンクリート製インバート部材を、
既設水路の前記曲線部で長手方向へ繋いで使用して敷設し、前記敷設箇所の勾配とは逆の勾配にして流水路部を形成した、
ことを特徴とする既設水路の補修工法。
【請求項６】
前記長手方向一端側の厚みが、長手方向他端側より厚く構成されて、前記高速流水路部が勾配を有して形成された水路用コンクリート製インバート部材につき、前記勾配の異なる水路用コンクリート製インバート部材を複数形成し、前記複数の勾配の異なる水路用コンクリート製インバート部材を組み合わせて、前記勾配の角度が異なるよう敷設形成でき、前記勾配を有する敷設箇所にあって、前記敷設箇所での勾配と逆の勾配で前記流水路部を最適な勾配で敷設可能とした、
ことを特徴とする請求項４記載の既設水路の補修工法。
【請求項７】
前記コンクリート製インバート部材の両脇に側壁を取り付け、コンクリート製側溝を形成して敷設し、既設水路を補修した、
ことを特徴とする請求項４、請求項５または請求項６記載の既設水路の補修工法。
【発明の詳細な説明】
【技術分野】
【０００１】
本発明は、例えば道路や住宅の脇に敷設されてなる既設水路の補修に使用される水路用コンクリート製インバート部材及び該部材を使用して既設水路を補修した既設水路の補修工法に関するものである。
【背景技術】
【０００２】
従来、特開平１０−１４０６４１号公報に記載されているように、いわゆる水路を形成する可変側溝については多くの特許出願がなされ、多くの特許も取得されている。
【０００３】
しかしながら、例えば、都市部に存在する既設の家庭用排水などを流す既設水路の状況を考察すると、該既設水路は、Ｕ字溝で形成されていたり、単なる土留めにより形成されていたり、自然の谷川などで形成されていたりしている。
【０００４】
これらの既設水路は、通常の家庭用排水を流すためのものであり、普段はほとんど水の流れを有しないのが現状である。従って、長い間、雨が降らない場合には、この既設水路に、ゴミや土砂が堆積し、悪臭が発生したり、雑草が繁殖したりしてきわめて不衛生になりがちである。
【０００５】
ここで、近年では前記のような既設水路の補修が叫ばれているが、これら前記のような既設水路を改修、補修したくとも、当該既設水路は民家の隙間などをぬって形成されており、このため重機などが進入できず、補修工事がきわめて困難であったのである。
【先行技術文献】
【特許文献】
【０００６】
【特許文献１】特開平１０−１４０６４１号公報
【発明の概要】
【発明が解決しようとする課題】
【０００７】
かくして、本発明は前記従来からの課題を解決するために創案されたもので、民家の隙間などをぬって形成されており、このため重機などが進入できず、補修工事がきわめて困難な箇所に形成されている既設水路であり、しかも、通常の家庭用排水を流すためのもので、普段はほとんど水の流れを有しない、従って、長い間、雨が降らない場合には、ゴミや土砂が堆積し、悪臭が発生したり、雑草が繁殖したりしてきわめて不衛生になりがちとなる既設水路につき、補修が容易で、カーブする箇所でも簡単に補修ができ、少量の流れであってもスムーズな流れを作ることができ、さらには勾配がある既設水路形成箇所において、逆の勾配側に流れを作ることができる水路用コンクリート製インバート部材及び該部材を使用して既設水路を補修した既設水路の補修工法を提供することを目的とするものである。
【課題を解決するための手段】
【０００８】
かくして、本発明による水路用コンクリート製インバート部材及び該部材を使用して既設水路を補修した既設水路の補修工法は、
水路用コンクリート製インバート部材の上面幅方向略中央位置に断面略Ｕ字状に凹む高速流水路部を長手方向へ向かって設け、該高速流水路部の幅方向両端から水路用コンクリート製インバート部材の幅方向両端に向っては、上り勾配で傾斜する集水傾斜面とし、前記高速流水路部と集水傾斜面とにより流水路部が形成され、
前記水路用コンクリート製インバート部材の長手方向一方側端部には、略半円状に張り出す接続膨出部を有し、長手方向他端部には、前記接続膨出部に嵌り合う略半円状の接続凹み部を有し、前記接続用膨出部と接続凹み部とを接続して、長手方向両端部に接続用高速流水路部が形成可能とされ、
前記接続用高速流水路部は、前記水路用コンクリート製インバート部材の長手方向両端部に位置する高速流水路部幅方向両端部から、前記接続用膨出部と接続凹み部との接続部幅方向両端部側に向かい、前記接続用膨出部と接続凹み部との接続部の幅より広幅に広がり、各々扇状に広げた状態に形成されると共に、該接続用高速流水路部の深さが、前記高速流水路部の底部の深さとほぼ同じ深さに形成されて、前記高速流水路部と連通するよう構成されてなり、
前記接続用膨出部と前記接続用凹み部とを嵌め合わせ、左右方向へカーブして敷設可能とされた、
ことを特徴とし、
または、
水路用コンクリート製インバート部材の上面幅方向略中央位置に断面略Ｕ字状に凹む高速流水路部を長手方向へ向かって設け、該高速流水路部の幅方向両端から水路用コンクリート製インバート部材の幅方向両端に向っては、上り勾配で傾斜する集水傾斜面とし、前記高速流水路部と集水傾斜面とにより流水路部が形成され、
前記水路用コンクリート製インバート部材の長手方向一方側端部には、略半円状に張り出す接続膨出部を有し、長手方向他端部には、前記接続膨出部に嵌り合う略半円状の接続凹み部を有し、前記接続用膨出部と接続凹み部とを接続して、長手方向両端部に接続用高速流水路部が形成可能とされ、
前記接続用高速流水路部は、前記水路用コンクリート製インバート部材の長手方向両端部に位置する高速流水路部幅方向両端部から、前記接続用膨出部と接続凹み部との接続部幅方向両端部側に向かい、前記接続用膨出部と接続凹み部との接続部の幅より広幅に広がり、各々扇状に広げた状態に形成されると共に、該接続用高速流水路部の深さが、前記高速流水路部の底部の深さとほぼ同じ深さに形成されて、前記高速流水路部と連通するよう構成されてなり、
前記接続用膨出部と前記接続用凹み部とを嵌め合わせ、左右方向へカーブして敷設可能とされ、
前記水路用コンクリート製インバート部材の長手方向一端側の厚みは、長手方向他端側より厚く構成されて、前記高速流水路部が勾配を有するよう形成され、前記勾配の異なる水路用コンクリート製インバート部材を複数形成すると共に、前記複数の勾配の異なる水路用コンクリート製インバート部材を組み合わせて、前記勾配の角度が異なるよう敷設形成でき、
前記接続用膨出部と前記接続用凹み部とを嵌め合わせ、左右方向へカーブ可能に敷設できると共に、勾配を有する敷設箇所で、前記敷設箇所での勾配と逆の勾配で前記流水路部を敷設可能とした、
ことを特徴とし、
または、
前記長手方向一端側の厚みが、長手方向他端側より厚く構成されて、前記高速流水路部が勾配を有して形成された水路用コンクリート製インバート部材につき、前記勾配の異なる水路用コンクリート製インバート部材を複数形成し、前記複数の勾配の異なる水路用コンクリート製インバート部材を組み合わせて、前記勾配の角度が異なるよう敷設形成でき、前記勾配を有する敷設箇所にあって、前記敷設箇所での勾配と逆の勾配で前記流水路部を最適な勾配で敷設可能とした、
ことを特徴とし、
または、
構築物の隙間をぬって形成され、重機が搬入できない箇所でのＵ字溝、土留め、自然谷川による曲線部を備えた既設水路の補修工法であり、
前記既設水路の底面部に、人力で運搬可能な重量で、あらかじめ工場で製造された、水路用コンクリート製インバート部材の上面幅方向略中央位置に断面略Ｕ字状に凹む高速流水路部を長手方向へ向かって設け、該高速流水路部の幅方向両端から水路用コンクリート製インバート部材の幅方向両端に向っては、上り勾配で傾斜する集水傾斜面とし、前記高速流水路部と集水傾斜面とにより流水路部が形成され、
前記水路用コンクリート製インバート部材の長手方向一方側端部には、略半円状に張り出す接続膨出部を有し、長手方向他端部には、前記接続膨出部に嵌り合う略半円状の接続凹み部を有し、前記接続用膨出部と接続凹み部とを接続して、長手方向両端部に接続用高速流水路部が形成可能とされ、
前記接続用高速流水路部は、前記水路用コンクリート製インバート部材の長手方向両端部に位置する高速流水路部幅方向両端部から、前記接続用膨出部と接続凹み部との接続部幅方向両端部側に向かい、前記接続用膨出部と接続凹み部との接続部の幅より広幅に広がり、各々扇状に広げた状態に形成されると共に、該接続用高速流水路部の深さが、前記高速流水路部の底部の深さとほぼ同じ深さに形成されて、前記高速流水路部と連通するよう構成されてなり、前記接続用膨出部と前記接続用凹み部とを嵌め合わせ、左右方向へカーブして敷設可能とされた、水路用コンクリート製インバート部材を、
既設水路の前記曲線部で長手方向へ繋いで使用し敷設した、
ことを特徴とし、
または、
構築物の隙間をぬって形成され、重機が搬入できない箇所でのＵ字溝、土留め、自然谷川による曲線部を備えた既設水路の補修工法であり、
前記既設水路の底面部に、人力で運搬可能な重量で、あらかじめ工場で製造された、水路用コンクリート製インバート部材の上面幅方向略中央位置に断面略Ｕ字状に凹む高速流水路部を長手方向へ向かって設け、該高速流水路部の幅方向両端から水路用コンクリート製インバート部材の幅方向両端に向っては、上り勾配で傾斜する集水傾斜面とし、前記高速流水路部と集水傾斜面とにより流水路部が形成され、
前記水路用コンクリート製インバート部材の長手方向一方側端部には、略半円状に張り出す接続膨出部を有し、長手方向他端部には、前記接続膨出部に嵌り合う略半円状の接続凹み部を有し、前記接続用膨出部と接続凹み部とを接続して、長手方向両端部に接続用高速流水路部が形成可能とされ、
前記接続用高速流水路部は、前記水路用コンクリート製インバート部材の長手方向両端部に位置する高速流水路部幅方向両端部から、前記接続用膨出部と接続凹み部との接続部幅方向両端部側に向かい、前記接続用膨出部と接続凹み部との接続部の幅より広幅に広がり、各々扇状に広げた状態に形成されると共に、該接続用高速流水路部の深さが、前記高速流水路部の底部の深さとほぼ同じ深さに形成されて、前記高速流水路部と連通するよう構成されてなり、
前記接続用膨出部と前記接続用凹み部とを嵌め合わせ、左右方向へカーブして敷設可能とされ、
前記水路用コンクリート製インバート部材の長手方向一端側の厚みは、長手方向他端側より厚く構成されて、前記高速流水路部が勾配を有するよう形成され、前記勾配の異なる水路用コンクリート製インバート部材を複数形成すると共に、前記複数の勾配の異なる水路用コンクリート製インバート部材を組み合わせて、前記勾配の角度が異なるよう敷設形成できると共に、勾配を有する敷設箇所で、前記敷設箇所での勾配と逆の勾配で前記流水路部を敷設可能とした、水路用コンクリート製インバート部材を、
既設水路の前記曲線部で長手方向へ繋いで使用して敷設し、前記敷設箇所の勾配とは逆の勾配にして流水路部を形成した、
ことを特徴とし、
または、
前記長手方向一端側の厚みが、長手方向他端側より厚く構成されて、前記高速流水路部が勾配を有して形成された水路用コンクリート製インバート部材につき、前記勾配の異なる水路用コンクリート製インバート部材を複数形成し、前記複数の勾配の異なる水路用コンクリート製インバート部材を組み合わせて、前記勾配の角度が異なるよう敷設形成でき、前記勾配を有する敷設箇所にあって、前記敷設箇所での勾配と逆の勾配で前記流水路部を最適な勾配で敷設可能とした、
ことを特徴とし、
または、
前記コンクリート製インバート部材の両脇に側壁を取り付け、コンクリート製側溝を形成して敷設し、既設水路を補修した、
ことを特徴とするものである。
【発明の効果】
【０００９】
本発明による水路用コンクリート製インバート部材及び該部材を使用して既設水路を補修した既設水路の補修工法であれば、
民家の隙間などをぬって形成され、このため重機などが進入できず、補修工事がきわめて困難な箇所に形成されている既設水路であって、しかも、通常の家庭用排水を流すためのもので、普段はほとんど水の流れを有しない、従って、長い間、雨が降らない場合には、ゴミや土砂が堆積し、悪臭が発生したり、雑草が繁殖したりしてきわめて不衛生になりがちとなる既設水路につき、その補修が容易で、カーブする箇所でも簡単に補修ができ、しかも少量の流れしか有しない場合であってもスムーズな流れを作ることができ、さらには勾配がある既設水路形成箇所において、逆の勾配側に流れを作ることができるとの優れた効果を奏する。
【図面の簡単な説明】
【００１０】
【図１】本発明による水路用コンクリート製インバート部材の敷設状態説明図（その1）である。
【図２】本発明による水路用コンクリート製インバート部材の敷設状態説明図（その２）である。
【図３】本発明による水路用コンクリート製インバート部材の敷設状態説明図（その３）である。
【図４】本発明による他の実施例の水路用コンクリート製インバート部材の構成説明図である。
【図５】本発明による他の実施例における水路用コンクリート製インバート部材の敷設状態説明図（その１）である。
【図６】本発明による他の実施例における水路用コンクリート製インバート部材の敷設状態説明図（その２）である。
【図７】本発明による他の実施例における水路用コンクリート製インバート部材の敷設状態説明図（その３）である。
【図８】本発明による他の実施例における水路用コンクリート製インバート部材の敷設状態説明図（その４）である。
【図９】本発明による他の実施例における水路用コンクリート製インバート部材の敷設状態説明図（その５）である。
【発明を実施するための形態】
【００１１】
以下本発明の実施例を図に基づいて説明する。
【実施例】
【００１２】
図１は本発明による水路用コンクリート製インバート部材及び該部材を使用して既設水路を補修した既設水路の補修工法の概略構成を説明する説明図であり、図に示す谷川１による既設水路は民家など既設構築物１３の隙間をぬって形成され、重機などが入り込めない箇所に設けられており、このような既設水路が本発明の対象となる。
【００１３】
ここで、前記自然の谷川１に設けられた既設水路は、民家の隙間などをぬって形成される関係上、一般的には直線的に敷設することが比較的困難で、たとえば右方向や左方向に蛇行して形成されることが多々見受けられ、決して直線的水路として形成されているものではない。よってこのような谷川１に設けられた既設水路の補修においては、左右に蛇行していて、これに充分対応形成できる部材を使用して補修することが要請されるものとなる。
【００１４】
ここで、符号２は、水路用コンクリート製インバート部材を示す。
該水路用コンクリート製インバート部材２の構成につき説明すると、その外形は略直方体状をなして形成されており、その上面の幅方向略中央位置には、断面略Ｕ字状に凹む高速流水路部３が長手方向へ向かって連続的に設けられている。
【００１５】
そして、該高速流水路部３の両端から、前記水路用コンクリート製インバート部材２の上面幅方向両端に向っては、若干の上り勾配の角度で傾斜する集水傾斜面４，４が前記正面に形成されている。そして、前記幅方向略中央に設けられた高速流水路部３と集水傾斜面４，４とにより流水路部５が形成されるものとなる。
【００１６】
次に、当該水路用コンクリート製インバート部材２の長手方向一方側端部には、略半円状に張り出す接続膨出部６が設けられている。また、その長手方向他端部には、前記説明した接続膨出部６に嵌り合う略半円状の接続凹み部７が設けられている。
【００１７】
しかして、長手方向両端部に形成された接続膨出部６および接続凹み部７においては、水路用コンクリート製インバート部材２、２を接続したとき、その接続部において前記高速流水路部３とフレキシブルに連通するよう構成された接続用高速流水路部８が形成されるものとなる。
【００１８】
その接続用高速流水路部８の形状は、図から理解されるように、水路用コンクリート製インバート部材２の長手方向両端部側に位置する高速流水路部３の幅方向両端から前記接続膨出部６および接続凹み部７の幅方向両端部側に向けて広幅に広げた状態、すなわち略扇状に広げた状態にして形成されている。
【００１９】
そして、その深さは、連通する高速流水路部３の底部からの深さとほぼ同じ深さ（厚み）に形成され、もって接続膨出部６および接続凹み部７側の高速流水路部３は、幅方向略中央部に形成された直線状の高速流水路部３とスムーズに、段差なく繋げられ連通するものとなる。
【００２０】
よって、一対の水路用コンクリート製インバート部材２の前記接続用膨出部６と前記接続用凹み部７とを嵌め合わせると、前述したように左右に向けてフレキシブルに、自由自在にカーブさせて水路用コンクリート製インバート部材２を繋げて敷設することが可能とされるのである（図１および図２参照）。
【００２１】
そして、このような民家など既設構築物１３の隙間をぬって設けられた自然の谷川１などで構成された既設水路の補修に際しては、重機の搬入がきわめて困難であり、もって人力で運搬できる程度の重量からなる補修部材、すなわち人力で運搬できる程度の重量からなる水路用コンクリート製インバート部材２が好ましいとされるのである。
【００２２】
また、図に示す水路用コンクリート製インバート部材２はその両端部に接続膨出部６，接続凹み部７が設けられた部材であるが、たとえば直線部分が多く続く既設水路の補修においては、両端部に前記のような接続膨出部６や接続凹み部７が形成されていないタイプの水路用コンクリート製インバート部材２を使用することもできる。このような部材の方が直線部分の長く続く既設水路の補修に際してはコストが安価とすることができる。
【００２３】
また、一方側にしか接続用膨出部６あるいは接続用凹み部７が形成されていないタイプの水路用コンクリート製インバート部材２を使用してもかまわないし、両端部に接続用膨出部６と接続用凹み部７とが形成された水路用コンクリート製インバート部材２を長さ方向中間位置から切断した長さの短いタイプ、あるいはそのような短いタイプの長さのものを型枠で形成し使用してもかまわないものである（図7および図8参照）。
【００２４】
次に、図３に本発明の第２実施例を示す。
【００２５】
本実施例では、たとえば自然の谷川１による既設水路において、側壁９、９を水路用コンクリート製インバート部材２の両脇に接続して取り付け、いわゆる現場において組立ててコンクリート製側溝１０を形成して補修した場合を示すものである。
【００２６】
しかして、当該側壁９の水路用コンクリート製インバート部材２への取り付け方法について本発明では何ら限定されないが、本実施例では水路用コンクリート製インバート部材２の幅方向両側の側端面にねじ穴１１をあらかじめ設けておき、側壁９側に設けられた貫通穴１２の外側から接続ねじ１４を挿入し、水路用コンクリート製インバート部材２と両側壁９，９とを一体化することが考えられる。
【００２７】
前記のように水路用コンクリート製インバート部材２の両脇に側壁９，９を取り付け、側溝１０を形成することは、たとえば左右方向にカーブする箇所に敷設する場合においても施工することができる。この場合、カーブする外側の側壁９は比較的長い長さの側壁９を使用し、カーブする内側の側壁９には短い長さにカットした側壁９を使用するものとなる。
【００２８】
次に、図4ないし図6に本発明の第3実施例を示す。
【００２９】
この実施例では、水路用コンクリート製インバート部材２の長手方向一端側の厚みを、長手方向他端側より厚く構成し、前記高速流水路部３を有する流水路部５に所定の勾配を有するよう形成したものである。
【００３０】
このようなタイプの水路用コンクリート製インバート部材2は、主に、敷設箇所が勾配を有する斜面であり、しかも水を流す方向につき、前記敷設箇所である斜面の勾配とは逆の勾配で流れるよう構成しなければならない場合に使用されるものである。
【００３１】
図6から理解されるように、敷設箇所は矢印Ａに示すように、図6に向かって右側から左側へ下り勾配の傾斜面となっている。しかしながら、各種の事情により排水方向は矢印Ｂで示すように図6に向かって左側から右側へ流れるように構成しなければならない場合がある。よって、そのような場合には、本実施例の水路用コンクリート製インバート部材2を使用し、図6に示すように敷設構成することになる。図６から理解されるように、この水路用コンクリート製インバート部材２は、長手方向一端側と他端側との厚みを異ならせて形成され、もってそれぞれ形状が異なるものとなっているが、その厚みの差の比率、言い換えれば形状の差異は現場敷設箇所の斜面勾配によってそれぞれ異ならせるものとなる。
【００３２】
従って、本発明では所定の勾配を有する敷設箇所に最適な逆流勾配の流水路部５を構成すべく、前述したように複数種類の勾配を有した水路用コンクリート製インバート部材２を製造し、前記の要請に迅速に対応しているのである。
【００３３】
ここで、このような勾配の異なる水路用コンクリート製インバート部材２の製造は比較的簡単に行える。すなわち、型枠部材において長手方向両端側の厚みを調整する調整部材をたとえば調整ねじを用い、これを進退させることにより調節部材を取り付け調整し、これにより勾配の異なる水路用コンクリート製インバート部材２の製造を行うがごときである。
【００３４】
なお、図9では、ほぼ水平面をなす敷設箇所においても、流水路部５に所定の勾配を有するよう構成したものであるが、この場合も複数種類の厚みの異なり、勾配の異なる水路用コンクリート製インバート部材２を製造し、迅速に現場で対応できるものとしている。
【００３５】
ところで、第1実施例から第3実施例において、本発明の水路用コンクリート製インバート部材２には、高速流水路部３を有する流水路部５が形成されている。ここで、この高速流水路部３を形成する意義につき述べると、通常流量の少ない場合には、この高速流水路部３内において泥水を含んだ雨水などが流れることになる。
【００３６】
そして、たとえ、泥水を含んだ雨水などの流量が少なくとも、前記高速流水路部３での水深を深くすることができる。と共に、水深を深くした結果、高速流水路部３の中でその流速をはやめることができ、これにより、水路用コンクリート製インバート部材２の上面全体にわたって汚泥などの土砂が堆積しにくいという効果をもたらすことになる。
【００３７】
さらにこの水路用コンクリート製インバート部材２の上面は幅方向両端部より略中央に向かって緩やかな下り傾斜面をなす集水傾斜面４，４として形成されているため、前記水路用コンクリート製インバート部材２上面に流れ込んだ雨水はこの下り傾斜面をなす集水傾斜面４，４上を通って略中央の高速流水路３に常に集水されることになる。
【符号の説明】
【００３８】
１   谷川 
２   水路用コンクリート製インバート部材
３   高速流水路部
４   集水傾斜面
５   流水路部
６   接続膨出部
７   接続凹み部
８   接続用高速流水路部
９    側壁
１０ 側溝
１１ ねじ穴
１２ 貫通穴
１３  既設構築物
１４  接続ねじ
【図１】
0005656250.tif 000002
【図２】
0005656250.tif 000003
【図３】
0005656250.tif 000004
【図４】
0005656250.tif 000005
【図５】
0005656250.tif 000006
【図６】
0005656250.tif 000007
【図７】
0005656250.tif 000008
【図８】
0005656250.tif 000009
【図９】
0005656250.tif 000010